(57)【特許請求の範囲】
【請求項１】
汎用油圧ショベルのブームからバケット用アーム及びバケットを取外し、かつ地盤攪拌機をリーダの前部に摺動自在に支持し、リーダの後部中程にリーダ支持金具を設け、該支持金具の上部に補助アームを後方に突設し、該アームの後端に上記ブームに設けたアーム用シリンダの先端を着脱自在に枢支し、下部に上記ブームの先端を着脱自在に枢支し、かつ汎用油圧ショベルに常備されている予備油圧回路に、バケット用油圧回路のホースを接続して、汎用油圧ショベルの主油圧ポンプ２個を合流させて、地盤攪拌機の攪拌モータを動作する油圧ショベルによる地盤改良機。
【発明の詳細な説明】
【０００１】
【発明の属する技術分野】
本発明は汎用油圧ショベルいわゆる汎用バックホーにおいて、アーム及びバケットをブームから取外し、取外した部分にリーダを設け、該リーダに地盤攪拌機を昇降摺動自在に支持する地盤改良機に関するものである。
【０００２】
【従来の技術】
殆どの地盤改良機は改良機の大小に関わらず攪拌装置とペースマシンとが一体型で地盤改良専用機として使用されている。
【０００３】
油圧ショベルをベースマシンとして使用されている場合も改良装置や管理装置を装着する場合、ベースマシンを改造し専用機として使用しており、地盤改良以外での使用はできない。
【０００４】
従って作業時間も改良の施工のみで年間の稼働率も掘削と地盤改良と併用して使用した場合に比べて少なく機械コストが高くなる。
【０００５】
又上記攪拌機及び上記リーダを地面に水平に載置し、クレーンによることなくブームを上昇回動し、アーム用シリンダを動作させて上記攪拌機及び上記リーダを地面上に垂直に起すと上記高所作業が不要であり、クレーンを必要とせず簡便作業を行い得るが、そのためにはアーム用シリンダを既設の汎用機から特別仕様の改造アーム用シリンダ（長さ、太さ）を用いる必要があり、汎用油圧ショベル（汎用バックホー等）を用いることができないという問題がある。
【０００６】
さらに地盤攪拌機のアクチェーターには、油圧ショベルの予備油圧回路を用いるが、油量が不足な為、メーカー等の合流キットを組込み、合流回路を構成する必要がある。その場合組込みに多くの時間を要し（約１２時間）、又、キット（部品）も多く高価であるという問題があった。
【０００７】
【発明が解決しようとする課題】
本発明は汎用油圧ショベルに、合流キットを組込まないで、バケット用油圧回路のホースを、予備回路側に接続し、合流回路を構成する方法であって、地盤攪拌作業中にブーム回路及びアーム回路の操作を必要とした場合、圧力センサーにより合流回路を一時的に解除しブーム、アームの誤作動を防止する機能を含めて、簡易合流回路と成り、組立てが短時間（約１時間）で行われ、キット（部品）も少なく安価であることを目的とする。
【０００８】
【課題を解決するための手段】
上記の目的を達成するため本発明は
汎用油圧ショベルのブームからバケット用アーム及びバケットを取外し、かつ地盤攪拌機をリーダの前部に摺動自在に支持し、リーダの後部中程にリーダ支持金具を設け、該支持金具の上部に補助アームを後方に突設し、該アームの後端に上記ブームに設けたアーム用シリンダの先端を着脱自在に枢支し、下部に上記ブームの先端を着脱自在に枢支し、かつ汎用油圧ショベルに常備されている予備油圧回路に、バケット用油圧回路のホースを接続して、汎用油圧ショベルの主油圧ポンプ２個を合流させて、地盤攪拌機の攪拌モータを動作する油圧ショベルによる地盤改良機
によって構成される。
【０００９】
【発明の実施の形態】
油圧ショベル１（又はバックホー）には汎用のものを用い、ブーム２の先端のアーム２’及びバケットを取外す。
【００１０】
一方、内外管４’、４”を上端ギヤボックス１１に接続し、油圧攪拌モータ１２によって内外管４’、４”を互いに正逆に回転させ、内管４’を外管４”の下端下方に延長し、それぞれ互いに正逆に回転する地盤攪拌用の攪拌羽根１３，１３’を設けて地盤攪拌機４を形成する。
【００１１】
この攪拌機４の上記ギヤボックス１１はリーダ５の前部に摺動自在に係合し、該リーダ５の上端に設けた駆動スプロケット１４と下端に設けた従動スプロケット１４’とに無端チエン１５を掛回し、駆動スプロケット１４を油圧モータ１６で正逆回動し、無端チエン１５に上記ギヤボックス１１を支持することにより、無端チエン１５の正逆回動により、地盤攪拌機４をリーダ５に沿って垂直方向に昇降させ軟弱地盤１７を上記攪拌羽根１３，１３’によって円筒状に攪拌することができ上昇時内管４’の下端からセメントミルクを噴出し、セメントミルクを軟弱地盤１７を混合させて円筒状ソイルセメント柱を形成し地盤を改良することができる。
【００１２】
上記リーダ５の後部中程にはリーダ５に設けたガイドレールに引掛ってシリンダ１８で位置を摺動調整できる支持金具６が設けられ、該支持金具６の上部又は中程に補助腕金７を後方に突設する。この補助腕金７は該金具６の後面に突設し後端に設けた軸受７’にピン７”でアーム用シリンダ３の先端を枢支し、補助腕金７はステイ７ａで固定される。上記腕金７は上記金具６に溶接固定した腕金であっても差支えない。
【００１３】
上記支持金具６の下部にはブーム２の先端をピン６’で枢支する軸受６”が設けられる。
【００１４】
このように形成した地盤攪拌機４、リーダ５及び支持金具６を地面に水平に配置し（図２にその状態を示す）、支持金具６の位置をシリンダ１８で摺動調整し、油圧ショベル１を進行させてブーム２の先端を支持金具６の下部軸受６”にピン６’で枢支した後、アーム用シリンダ３の先端を補助腕金７の上端の軸受７’にピン７”で枢支し（図２参照）、その状態でブーム２を上昇回動し、アーム用シリンダ３を動作させてリーダ５を水平位置（図２）から垂直に起立させることができる（図１）。
【００１５】
汎用油圧ショベルには第１及び第２主油圧ポンプ２１，２２の２個のポンプ中、第１主油圧ポンプ２１がアクチェータ（バケット用シリンダ）２０，（アーム用シリンダ）３，（ブーム用シリンダ）１９等を油圧切換弁２３，２４，２５の操作で駆動し、バケット回路２０’、ブーム回路１９’、アーム回路３’を形成する。
【００１６】
一方、第２主油圧ポンプ２２及び予備油圧切換弁２６による予備油圧回路８が常備され、該切換弁２６を介して地盤攪拌機４の内外管４’、４”、正逆回転用油圧攪拌モータ１２を上端ギヤボックス１１を介して駆動し、攪拌機油圧回路９を形成する。
【００１７】
上記バケット回路２０’のアクチェータ２０及びアーム２’は取外され、バケット回路２０’の油圧ホース２０”は攪拌機油圧回路９の油圧ホース９’にジョイント又はカップリングによって合流点Ｂで合流させる。
【００１８】
アーム２’、アクチェータ２０を取外したバケット回路２０’の油圧ホース２０”を攪拌機油圧回路９に合流点Ｂで合流し、２個の主油圧ポンプ２１，２２によって攪拌機油圧回路９を駆動し、かつ該回路９を分岐し、リーダ５に設けた油圧モータ１６及び支持金具６用シリンダ１８を切換弁（図示せず）を介して運転席１’から動作させることができる。
【００１９】
従って汎用油圧ショベル１を用いバケット、アーム２’及びバケット用アクチェータ（シリンダ）２０を取外し、ブーム２、アーム２’用シリンダ３を、そのまま支持金具６及び補助腕金７に上述のように装置することによって地盤改良機を形成することができる。
【００２０】
尚図中２７で示すものは汎用油圧ショベル１のクローラである。
【００２１】
【発明の効果】
本発明は上述のように構成したので地盤攪拌機をクレーンで予め起立させた状態で油圧ショベルのブームとアーム用シリンダを上記攪拌機の支持金具に接続させる必要がなく、該攪拌機を地面に水平に伏せた状態においてしかも汎用油圧ショベルのブームとアーム用シリンダを上記支持金具に安全かつ容易に接続させ得て容易に垂直に起立させ、高所作業を要しないという効果がある。
【００２２】
そして上記油圧ショベルは汎用のものを何ら改造変形することなくリース機をそのまま利用し得るばかりでなく合流回路が専用メーカー製の回路にくらべ、短時間で安価に切換えできてコストを下げ得る効果がある。
【図面の簡単な説明】
【図１】本発明の油圧ショベルによる地盤改良機の側面図である。
【図２】地盤攪拌機を地盤に水平に倒伏させた状態の側面図である。
【図３】油圧回路図である。
【符号の説明】
１    汎用油圧ショベル
２    ブーム
３    アーム用シリンダ
４    地盤攪拌機
５    リーダ
６    リーダ支持金具
７    補助腕金
８    予備油圧回路
９    地盤攪拌機油圧回路
１２    攪拌モータ
２０’  バケット用油圧回路
２０”  ホース
２１，２２  主油圧ポンプ
【図１】
0003560859.tif 000002
【図２】
0003560859.tif 000003
【図３】
0003560859.tif 000004